(57)【要約】【課題】部品点数が少なく、簡単な構成でコストの安い油圧式オートテンショナとする。【解決手段】作動油が充填されたシリンダ１内にスリーブ４を設け、そのスリーブ４内にロッド５の下端部を摺動自在とし圧力室６を形成する。ロッド５上部のばね座７とシリンダ１の内底面間にリターンスプリング８を組込み、スリーブ４の下端部内に圧力室６の圧力がリザーバ室１３の圧力より高くなると閉鎖するチェックバルブ２０を設ける。チェックバルブ２０のバルブシート２１をスリーブ４に形成されたバルブ嵌合孔１６内でスライド可能とし、弾性部材３０の弾性力で上側のシート面１７に密着させ、圧力室６内の圧力が弾性部材３０の弾性力を超えた際に、バルブシート２１がシート面１７から離反し圧力室６の体積が増加するようにする。バルブ嵌合孔１６とバルブシート２１の嵌合面間には、圧力室６側とリザーバ室１３側とを液密に仕切る密封部材２７を配置している。【選択図】図１
2014043886.tif 000002
【特許請求の範囲】
【請求項１】
内部に作動油が充填されたシリンダ（１）の内底面にスリーブ嵌合孔（３）を設け、そのスリーブ嵌合孔（３）内に下端部が嵌合されたスリーブ（４）内にロッド（５）の下端部を摺動自在に挿入してスリーブ（４）内に圧力室（６）を形成し、前記ロッド（５）の上部に設けられたばね座（７）と前記シリンダ（１）の内底面間に、前記シリンダ（１）と前記ロッド（５）を伸張する方向に付勢するリターンスプリング（８）を組込み、前記シリンダ（１）の上部開口を閉塞して、そのシリンダ（１）と前記スリーブ（４）間にリザーバ室（１３）を設け、前記スリーブ嵌合孔（３）と前記スリーブ（４）の下端部との嵌合面間に前記圧力室（６）と前記リザーバ室（１３）とを連通する通路（１４）を設け、前記スリーブ（４）の下端部内には前記圧力室（６）の圧力が前記リザーバ室（１３）の圧力より高くなると通路を閉じるチェックバルブ（２０）を設けた油圧式オートテンショナにおいて、
前記チェックバルブ（２０）を構成するバルブシート（２１）がバルブ嵌合孔（１６）内にスライド可能に嵌合され、前記バルブ嵌合孔（１６）と前記バルブシート（２１）の嵌合面間に密封部材（２７）を配置したことを特徴とする油圧式オートテンショナ。
【請求項２】
前記密封部材（２７）は、前記バルブシート（２１）の外周に沿って取付けられるＯリングであることを特徴とする請求項１に記載の油圧式オートテンショナ。
【請求項３】
前記密封部材（２７）は、前記バルブシート（２１）の外周に沿って取付けられる樹脂リングであることを特徴とする請求項１に記載の油圧式オートテンショナ。
【請求項４】
前記密封部材（２７）は、環状部材の周方向少なくとも１箇所に切れ目を設けたカットリングであることを特徴とする請求項２又は３に記載の油圧式オートテンショナ。
【請求項５】
前記バルブシート（２１）を前記バルブ嵌合孔（１６）の上部に設けたシート面（１７）に向けて付勢する弾性部材（３０）を備えたことを特徴とする請求項１乃至４のいずれか一つに記載の油圧式オートテンショナ。
【請求項６】
前記弾性部材（３０）は、前記スリーブ（４）の下端をカシメることによって前記バルブ嵌合孔（１６）内に固定されていることを特徴とする請求項５に記載の油圧式オートテンショナ。
【請求項７】
前記弾性部材（３０）は、前記スリーブ（４）の下端にキャップ（２８）を圧入することによって前記バルブ嵌合孔（１６）内に固定されていることを特徴とする請求項５に記載の油圧式オートテンショナ。
【請求項８】
前記弾性部材（３０）は、前記スリーブ（４）の下端に止め輪（２９）を嵌合することによって前記バルブ嵌合孔（１６）内に固定されていることを特徴とする請求項５に記載の油圧式オートテンショナ。
【請求項９】
前記弾性部材（３０）は、圧縮コイルばね、ウェーブワッシャ、ばね座金の中から選択される一つであることを特徴とする請求項５に記載の油圧式オートテンショナ。
【発明の詳細な説明】
【技術分野】
【０００１】
この発明は、オルタネータやウォータポンプ、エアコンのコンプレッサ等の自動車補機を駆動するベルトの張力調整用に用いられる、油圧式オートテンショナに関するものである。
【背景技術】
【０００２】
エンジンのクランクシャフトの回転を、各種の自動車補機に伝えるベルト伝導装置においては、図７に示すように、ベルト４１の緩み側に支点軸４２を中心にして揺動可能なプーリアーム４３を設けている。そのプーリアーム４３に油圧式オートテンショナＡの調整力を付与して、プーリアーム４３の揺動側端部に支持されたテンションプーリ４４がベルト４１を押圧する方向にプーリアーム４３を付勢し、ベルト４１の張力を一定に保持するようにしている。
【０００３】
上記のようなベルト伝導装置に使用される油圧式オートテンショナＡとして、例えば、特許文献１に記載されたものが従来から知られている。この油圧式オートテンショナＡにおいては、作動油が充填された底付きシリンダの内底面から立ち上がるスリーブ内にロッドの下部をスライド自在に装入してスリーブ内に圧力室を形成し、ロッドの上部に設けられたばね座とシリンダの底面間にリターンスプリングを組込んでロッドとシリンダを伸長する方向に付勢している。
【０００４】
また、ばね座の外周とシリンダの上部外周に弾性を有するベローズの両端部を嵌合してシリンダとスリーブ間に密閉されたリザーバ室を形成している。そのリザーバ室下部と圧力室とを通路で連通し、その通路にチェックバルブを設けている。ベルト４１からテンションプーリ４４及びプーリアーム４３を介して油圧式オートテンショナＡにシリンダとロッドを収縮させる方向への押し込み力が負荷された際に、チェックバルブを閉じ、圧力室内に封入された作動油をスリーブの内径面とロッドの外径面との間に形成された微小すきまに流動させ、その流動時の作動油の粘性抵抗により、圧力室内に油圧ダンパ力を発生させて、上記押し込み力を緩衝するようにしている。
【０００５】
ところで、従来の油圧式オートテンショナＡにおいては、上記のように、ベルト４１からロッドに負荷される押し込み力により、圧力室内に封入された作動油を、スリーブの内径面とロッドの外径面との間に形成された微小すきまに流動させ、その流動により、圧力室内に発生する油圧ダンパ力によって、上記押し込み力を緩衝する構成であり、上記油圧ダンパ力と押し込み力はほぼ比例関係にある。このため、押し込み力が大きくなるにつれて、油圧ダンパ力も大きいものとなる。
【０００６】
このため、ベルトが過張力になるのを防止できず、ベルトの耐久性を低下させるという問題もある。
【０００７】
そのような問題点を解決するため、特許文献２は、ロッドに圧力室とリザーバ室とを連通する通路を設け、その通路にリリーフバルブを組み込んで、圧力室内の圧力がリリーフバルブの設定圧を超えた際、そのリリーフバルブを開放させて、圧力室内の圧力をリザーバ室内に逃がし、圧力室内の圧力がリリーフバルブの設定圧を超えることがないようにして、ベルトが過張力になるのを防止することができるようにした油圧式オートテンショナを提案している。
【先行技術文献】
【特許文献】
【０００８】
【特許文献１】特表２０００−５０４３９５号公報
【特許文献２】特開２００９−１９１８６３号公報
【発明の概要】
【発明が解決しようとする課題】
【０００９】
ところで、上記特許文献２に記載された油圧式オートテンショナにおいては、チェックバルブとリリーフバルブの二つのバルブを必要とするため、部品点数が多くなって油圧式オートテンショナの組立てに手間がかかり、しかも、ロッドには圧力室とリザーバ室とを連通する通路を加工する必要があるため、コストが高く、そのコストを低減する上において改善すべき点が残されている。
【００１０】
そこで、この発明は、ベルトが過張力になるのを防止するとともに、部品点数が少なく、簡単な構成でコストの安い油圧式オートテンショナとすることを課題とする。
【課題を解決するための手段】
【００１１】
上記の課題を解決するために、この発明は、内部に作動油が充填されたシリンダの内底面にスリーブ嵌合孔を設け、そのスリーブ嵌合孔内に下端部が嵌合されたスリーブ内にロッドの下端部を摺動自在に挿入してスリーブ内に圧力室を形成し、前記ロッドの上部に設けられたばね座と前記シリンダの内底面間に、前記シリンダと前記ロッドを伸張する方向に付勢するリターンスプリングを組込み、前記シリンダの上部開口を閉塞して、そのシリンダと前記スリーブ間にリザーバ室を設け、前記スリーブ嵌合孔と前記スリーブの下端部との嵌合面間に前記圧力室と前記リザーバ室とを連通する通路を設け、前記スリーブの下端部内には前記圧力室の圧力が前記リザーバ室の圧力より高くなると通路を閉じるチェックバルブを設けた油圧式オートテンショナにおいて、前記チェックバルブを構成するバルブシートがバルブ嵌合孔内にスライド可能に嵌合され、前記バルブ嵌合孔と前記バルブシートの嵌合面間に密封部材を配置した構成を採用した。
【００１２】
上記の構成からなる油圧式オートテンショナにおいては、シリンダの下部をエンジンブロックに揺動自在に連結し、ロッドの上部に設けられたばね座を、例えば、図７に示すようなプーリアームに回動自在に連結して、ベルトの張力を調整する。
【００１３】
上記のような油圧式オートテンショナの使用状態において、ベルトの張力が増大し、ロッドに押し込み力が負荷されると、圧力室内の圧力が高くなるため、チェックバルブが閉鎖し、圧力室内の作動油がスリーブとロッドの嵌合面間に形成されたリーク隙間からリザーバ室内にリークする。そのリーク時の作動油の粘性抵抗により、圧力室内に油圧ダンパ力が発生し、その油圧ダンパ力によって、ロッドに負荷される上記押込み力が緩衝される。
【００１４】
このとき、圧力室内の圧力がさらに高くなると、チェックバルブの全体が下降して、圧力室内の空間の体積が増加する。チェックバルブを構成するバルブシートが、バルブ嵌合孔内にスライド可能に嵌合されているからである。このとき、圧力室内に発生する油圧ダンパ力が、空間の体積増加により緩和される。したがって、ベルトが過張力になるようなことはなく、ベルトの耐久性の低下を抑制することができる。このため、部品点数が少なく、簡単な構成のコストの安い油圧式オートテンショナとすることができる。
【００１５】
また、従来の油圧式オートテンショナでは、ベルトからの高周波の入力、すなわち、ロッドに作用する高周波の伸縮方向への動きに対し、そのレスポンスが充分でないという問題があったが、上記のように、バルブシートがスライドする構成とすることで、高周波のロッドの動きに対しても、油圧ダンパ効果を適切に発揮することができる。
また、バルブ嵌合孔とバルブシートの嵌合面間に密封部材を設けたことにより、従来の油圧式オートテンショナの問題点であった圧力室からのオイル漏れを、より確実に抑えることができる。
【００１６】
ここで、前記密封部材としては、例えば、バルブシートの外周に沿って取付けられるＯリングである構成を採用することができる。また、他の構成としては、前記密封部材として、前記バルブシートの外周に沿って取付けられる樹脂リングである構成を採用することができる。樹脂リングであれば、バルブシートが動く際における嵌合面の抵抗が低くなるように設定しやすい。
【００１７】
さらに、前記密封部材は、環状部材の周方向少なくとも１箇所に切れ目を設けたカットリングである構成を採用することができる。カットリングは、周方向に沿って連続しない部分があるので、その連続しない部分の隙間（周方向への隙間）が拡大縮小することで全体の外径が変化する。このため、装着が容易である。
【００１８】
また、カットリングであれば、圧力室やリザーバ室の温度が高温になった際に、密封部材が外径側へ膨張しやすい構成とすることができる。これにより、高温時の液密性を高めることができる。なお、温度と膨張の程度については、使用する作動油の粘度や、密封部材の素材に応じて適宜設定できる。
このように、密封部材としてカットリングを用いることにより、嵌合面の抵抗をさらに抑えることができるとともに、高温時の液密性を高めることも可能である。
【００１９】
これらの各構成において、前記バルブシートを前記バルブ嵌合孔の上部に設けたシート面に向けて付勢する弾性部材を備えた構成を採用することができる。このように、弾性部材の付勢力に抗してバルブシートがシート面から離反する構成とすることで、油圧ダンパ効果をより適切に設定できる。特に、高周波のロッドの動きに対する油圧ダンパ効果をより適切に発揮することができる。
【００２０】
前記弾性部材は、前記スリーブの下端をカシメることによって前記バルブ嵌合孔内に固定されている構成を採用することができる。また、他の構成としては、前記弾性部材は、前記スリーブの下端にキャップを圧入することによって前記バルブ嵌合孔内に固定されている構成を採用することができる。さらに、他の構成としては、前記弾性部材は、前記スリーブの下端に止め輪を嵌合することによって前記バルブ嵌合孔内に固定されている構成を採用することができる。
【００２１】
なお、チェックバルブのバルブシートをシート面に向けて付勢する弾性部材としては、例えば、圧縮コイルばね、ウェーブワッシャ、ばね座金のいずれかを採用することができる。
【発明の効果】
【００２２】
この発明においては、上記のように、ベルトからロッドに押込み力が負荷されて圧力室内の圧力が上昇すると、チェックバルブの全体が下降して圧力室内の空間の体積が増加する。このとき、圧力室内に発生する油圧ダンパ力が、空間の体積増加により緩和される。したがって、ベルトが過張力になるようなことはなく、ベルトの耐久性の低下を抑制することができる。
【００２３】
また、バルブ嵌合孔とバルブシートの嵌合面間に密封部材を設けたことにより、従来の油圧式オートテンショナの問題点であった圧力室からのオイル漏れを、より確実に抑えることができる。
【００２４】
さらに、弾性部材の付勢力に抗してバルブシートがシート面から離反する構成とすることで、油圧ダンパ効果をより適切に発揮することができる。
【図面の簡単な説明】
【００２５】
【図１】この発明に係る油圧式オートテンショナの実施の形態を示す縦断面図
【図２】図１のチェックバルブの組込み部を拡大して示す断面図
【図３】図２のチェックバルブがリリーフバルブとして機能し、下降して圧力室の体積が増加した状態を示す断面図
【図４】他の実施形態を示し、（ａ）は密封部材の平面図、（ｂ）はチェックバルブの組込み部を拡大して示す断面図
【図５】さらに他の実施形態を示し、（ａ）は密封部材の平面図、（ｂ）はチェックバルブの組込み部を拡大して示す断面図
【図６】さらに他の実施形態を示し、（ａ）は密封部材の平面図、（ｂ）はチェックバルブの組込み部を拡大して示す断面図
【図７】補機駆動用ベルトの張力調整装置を示す正面図
【発明を実施するための形態】
【００２６】
以下、この発明の実施の形態を図面に基いて説明する。図１に示すように、シリンダ１は下部が閉塞し、その閉塞端部にエンジンブロックＢに回転自在に連結される連結片２が設けられている。
【００２７】
シリンダ１の内底面には、そのシリンダ１の内径より小径のスリーブ嵌合孔３が設けられ、そのスリーブ嵌合孔３内にスリーブ４の下端部が圧入されている。スリーブ４内にはロッド５の下部がスライド自在に挿入され、そのロッド５の挿入によって、スリーブ４内に圧力室６が設けられている。
【００２８】
ロッド５のシリンダ１の外部に位置する上端部にはばね座７が固定され、そのばね座７とシリンダ１の底面間に組込まれたリターンスプリング８は、シリンダ１とロッド５が相対的に伸張する方向に付勢している。
【００２９】
ばね座７の上端には、プーリアーム４３（図７参照）に対して連結される連結片９が設けられている。また、ばね座７には、リターンスプリング８の上部を覆う内筒部１０と、シリンダ１の上部外周を覆う外筒部１１とが同軸状に設けられている。
【００３０】
シリンダ１の上側開口部内にはオイルシール等の弾性シール１２が取付けられ、その弾性シール１２の内周は内筒部１０の外周面に弾性接触して、シリンダ１の上側開口を閉塞し、シリンダ１の内部に充填された作動油の外部への漏洩を防止している。
【００３１】
上記弾性シール１２の取付けにより、シリンダ１とスリーブ４との間に密閉されたリザーバ室１３が形成される。リザーバ室１３と圧力室６は、スリーブ嵌合孔３とスリーブ４の嵌合面間に形成された通路１４で連通可能である。
【００３２】
通路１４は、図２に示すように、スリーブ嵌合孔３の底面に形成された平面視十字形の放射溝１４ａと、スリーブ嵌合孔３の内径面に形成されて放射溝１４ａのそれぞれ外側端に連通する４本の軸方向溝１４ｂからなっている。この通路１４の配置は、求められる仕様等に応じて適宜設定できる。
【００３３】
また、図２に示すように、スリーブ４の下端部内には環状突出部１５と、その環状突出部１５を上側壁とするバルブ嵌合孔１６が設けられ、そのバルブ嵌合孔１６の上側壁に平坦なシート面１７が設けられている。
【００３４】
図２では、環状突出部１５の形成により、その下方にバルブ嵌合孔１６を形成したが、上記環状突出部を省略し、内径面が円筒状とされたスリーブ４の下端部内に大径孔を形成し、その大径孔をバルブ嵌合孔としてもよい。
【００３５】
バルブ嵌合孔１６内には、チェックバルブ２０と、弾性部材３０とが組み込まれている。チェックバルブ２０は、バルブシート２１と、そのバルブシート２１の上面中央部に突設された円柱状の突出部２２の上面からバルブシート２１の下面に貫通する弁孔２３を圧力室６側から開閉する球形の弁体２４と、上記突出部２２に下端の開口部が圧入されて弁体２４の開閉量を規制するリテーナ２５とからなっており、上記リテーナ２５には通油窓２６が形成されている。
【００３６】
チェックバルブ２０は、バルブシート２１がバルブ嵌合孔１６内においてスライド可能に嵌合されて組込まれ、その下方に組み込まれた弾性部材３０により上向きに付勢されて上面外周部がシート面１７に密着している。
【００３７】
チェックバルブ２０は、圧力室６内の圧力がリザーバ室１３内の圧力より高くなると、弁体２４が弁孔２３を閉鎖するようになっている。また、チェックバルブ２０は、圧力室６内の圧力が弾性部材３０の弾性力を超えると、全体が下降して、バルブシート２１がシート面１７から離反するようになっている。
【００３８】
このように、バルブ嵌合孔１６内にチェックバルブ２０のバルブシート２１が、上下方向にスライド可能に嵌合している。また、そのバルブシート２１は、シート面１７に向けて弾性部材３０によって付勢されている。
【００３９】
また、バルブ嵌合孔１６とバルブシート２１の嵌合面間に、圧力室６側の空間とリザーバ室１３側の空間とを液密に仕切る密封部材２７を配置している。
【００４０】
この実施形態では、密封部材２７として、図２及び図３に示すように、バルブシート２１の外周に沿って取付けられるゴム製の環状部材からなるＯリングを採用している。Ｏリングは、バルブシート２１の外周に沿って全周に形成された溝に嵌合し、そのバルブシート２１に固定されている。
ただし、この密封部材２７として、バルブシート２１の外周に沿って取付けられる樹脂リングを採用してもよい。樹脂リングであれば、バルブシート２１が動く際における嵌合面の抵抗が低くなるように設定しやすい。
【００４１】
さらに、この密封部材２７としては、例えば、図５や図６に示すように、環状部材の周方向１箇所に切れ目を設けたカットリングを採用することができる。カットリングは、周方向に沿って連続しない部分があるので、その連続しない部分の隙間（周方向への隙間）が拡大縮小することで全体の外径が変化しやすい。このため、バルブシート２１への装着が容易である。
【００４２】
また、カットリングであれば、圧力室６やリザーバ室１３の温度が高温になった際に、密封部材２７が外径側へ膨張しやすい構成とすることができる。これにより、高温時の液密性を高めることができる。なお、温度と膨張の程度については、使用する作動油の粘度や、密封部材の素材に応じて適宜設定できる。
このように、密封部材２７としてカットリングを用いることにより、嵌合面の抵抗をさらに抑えることができるとともに、高温時の液密性を高めることも可能である。
【００４３】
また、この実施形態では、図２及び図３に示すように、弾性部材３０が、スリーブ４の下端をカシメることによって、バルブ嵌合孔１６内に固定されている。図中の符号３１は、そのカシメ部を示す。
【００４４】
また、他の構成としては、例えば、図４に示すように、弾性部材３０が、スリーブ４の下端にキャップ２８を圧入することによって、バルブ嵌合孔１６内に固定されている構成を採用することができる。さらに、他の構成としては、例えば、図５に示すように、弾性部材３０が、スリーブ４の下端に止め輪２９を嵌合することによって、バルブ嵌合孔１６内に固定されている構成を採用することができる。
【００４５】
なお、チェックバルブ２０のバルブシート２１を、シート面１７に向けて付勢する弾性部材３０としては、図２〜図５の各実施形態のように圧縮コイルばねを用いてもよいし、それ以外にも、例えば、図６に示すように、ウェーブワッシャやばね座金を採用することができる。図６では、そのウェーブワッシャやばね座金からなる弾性部材３０は、スリーブ４の下端にキャップ２８を圧入することによって、バルブ嵌合孔１６内に固定されている。
【００４６】
実施形態で示す油圧式オートテンショナＡは上記の構成からなり、図７に示す補機駆動用ベルト４１の張力調整に際しては、シリンダ１の閉塞端に設けた連結片２を図１に示すエンジンブロックＢに連結し、かつ、ばね座７の連結片９をプーリアーム４３に連結して、そのプーリアーム４３に調整力を付与する。
【００４７】
上記のようなベルト４１の張力調整状態において、補機の負荷変動等によってベルト４１の張力が変化し、ベルト４１の張力が弱くなると、リターンスプリング８の押圧によりシリンダ１とロッド５が伸張する方向に相対移動してベルト４１の弛みが吸収される。
【００４８】
ここで、シリンダ１とロッド５が伸張する方向に相対移動するとき、圧力室６内の圧力はリザーバ室１３内の圧力より低くなるため、チェックバルブ２０の弁体２４が弁孔２３を開放する。このため、リザーバ室１３内の作動油は通路１４から弁孔２３を通って圧力室６内にスムーズに流れ、シリンダ１とロッド５は伸張する方向にスムーズに相対移動してベルト４１の弛みを直ちに吸収する。
【００４９】
一方、ベルト４１の張力が強くなると、ベルト４１から油圧式オートテンショナＡのシリンダ１とロッド５を収縮させる方向の押込み力が負荷される。このとき、圧力室６内の圧力はリザーバ室１３内の圧力より高くなるため、チェックバルブ２０の弁体２４は、図２に示すように、弁孔２３を閉鎖する。
【００５０】
また、圧力室６内の作動油は，スリーブ４の内径面とロッド５の外径面間に形成された微小なリーク隙間１８に流れてリザーバ室１３内に流入する。このリーク隙間１８に流れる作動油の粘性抵抗によって圧力室６内に油圧ダンパ力が発生し、その油圧ダンパ力によって、油圧式オートテンショナＡに負荷される上記押込み力が緩衝される。シリンダ１とロッド５は、押込み力とリターンスプリング８の弾性力とが釣り合う位置まで収縮する方向にゆっくりと相対移動する。
【００５１】
ここで、ベルト４１の張力が強く、圧力室６内の圧力がさらに高くなり、その圧力が弾性部材３０の弾性力を超えると、図３に示すように、チェックバルブ２０の全体が弾性部材３０の弾性に抗して下降し、バルブシート２１がシート面１７から離反して、圧力室６内の空間の体積が増加する。このとき、圧力室６内に発生する油圧ダンパ力が、弾性部材３０の弾性力と、空間の体積増加により緩和される。したがって、ベルトが過張力になるようなことはなく、ベルトの耐久性の低下を抑制することができる。
【００５２】
また、このように、弾性部材３０の付勢力に抗してバルブシート２１が、シート面１７から離反する構成とすることで、高周波のロッド５の動きに対しても、油圧ダンパ効果を適切に発揮することができる。
【００５３】
また、バルブ嵌合孔１６とバルブシートの嵌合面間に密封部材２７を設けたことにより、従来の油圧式オートテンショナの問題点であった圧力室６からのオイル漏れを、より確実に抑えることができる。
【００５４】
これらの実施形態においては、上述のように、圧力室６内の圧力が弾性部材３０の弾性力より高くなると、チェックバルブ２０が下降して、バルブシート２１がシート面１７から離反し、圧力室内の空間の体積が増加する。このとき、圧力室内に発生する油圧ダンパ力が、弾性部材の弾性力と、空間の体積増加により緩和される。したがって、ベルトが過張力になるようなことはなく、ベルトの耐久性の低下を抑制することができる。このため、
部品点数が少なく、簡単な構成のコストの安い油圧式オートテンショナとすることができる。
【００５５】
また、これらの実施形態では、密封部材２７をバルブシート２１に取付けたが、密封部材２７は、バルブ嵌合孔１６とバルブシート２１の嵌合面間に配置されていればよく、圧力室６側とリザーバ室１３側とを液密に仕切るものであれば、例えば、バルブ嵌合孔１６側に取付けてもよい。
【符号の説明】
【００５６】
１    シリンダ
２，９  連結片
３    スリーブ嵌合孔
４    スリーブ
５    ロッド
６    圧力室
７    ばね座
８    リターンスプリング
１０  内筒部
１１  外筒部
１２  弾性シール
１３  リザーバ室
１４  通路
１５  環状突出部
１６  バルブ嵌合孔
１７  シート面
１８  リーク隙間
２０  チェックバルブ
２１  バルブシート
２２  突出部
２３  弁孔
２４  弁体
２５  リテーナ
２６  通油窓
２７  密封部材
２８  キャップ
２９  止め輪
３０  弾性部材
３１  カシメ部
【図１】
2014043886.tif 000003
【図２】
2014043886.tif 000004
【図３】
2014043886.tif 000005
【図４】
2014043886.tif 000006
【図５】
2014043886.tif 000007
【図６】
2014043886.tif 000008
【図７】
2014043886.tif 000009